(57)【要約】【課題】  雑個体（形状や大きさが種々の物体）を対象としたＩＣタグ等取付器具により、雑個体にＩＣタグ等を取付け、雑個体廃棄物情報を管理する。【解決手段】  雑個体（形状や大きさが種々の物体）の形状は不定形であり、図１に示す形状に柔軟に対応した各種取付器具により、ＩＣタグ等が容易に取り付けが出来、簡単には外れず、ＩＣタグ等を電波反射物体から距離を保つ機能を有し、ＩＣタグ等の背面をフェライト等の電波吸収材で覆い、取付忘れ、取り外し忘れなどの防止を目的として、ＩＣタグ等の取付が明示的に示す場合は、視認性のよい色と大きさを持つ取付器具であり、また外す意図を持った時は容易に外すことを満足しようとするものである。  図２に示すシステムのブロック構成図が実施形態の例であり、蛍光Ｘ線、γ線線量計など各種測定器の使用を前提とし、その計測データの有効な管理を可能ならしめる。  図３に示すフローチャートのように使用され、ＩＣタグ等の取付、取外しを特徴とする。【選択図】図１
2007310849.tif 000002
【特許請求の範囲】
【請求項１】
雑個体（形状や大きさが種々の物体）にＩＣタグ等を取り付けるにあたり、当該取り付け器具を既存の洗濯ばさみと同一の形状とすることにより、容易に取り付けることを可能とし、その咬み合い部にはゴムのような緩衝剤を設けるとともに、後部のハンドル部にラッチ機構を設けることにより、簡単には外れない仕掛けとし、後部のハンドル部にＩＣチップ  プラス  アンテナのＩＣタグ等を埋め込んで一体化した、ＩＣタグ等取り付け器具。後部のハンドル部にチッププラス  アンテナのＩＣタグ等を埋め込むのは、金属、水等の電波を反射する雑個体からＩＣタグ等が距離を保つ役割を持つ。
また、当該ラッチ機構を押すまたは引くなど簡単な操作でラッチ解除を実行することにより、外す意図を持った時は容易に外すことを可能とし、当該取り付け器具は、取付忘れ、取り外し忘れなどの防止を目的として、ＩＣタグ等の取付が明示的に示す場合は、視認性のよい色と大きさを持った、ＩＣタグ等取り付け器具。
なお図においては、アンテナはダイポール型を例として書くが、これに限定されるものではなく、ループ型、ホイップ型等各種のアンテナを許容するものである。
上記、アンテナ形状の許容は、以下の請求項ともに共通となる。
【請求項２】
前記第１の取り付け器具と異なり、マジックテープの呼称で呼ばれる締め付け器具の帯状テープの先端部にＩＣタグ等を埋め込み、雑個体（形状や大きさが種々の物体）に対し、容易に取り付けが出来、簡単には外れない、一体化したＩＣタグ等取り付け器具。ＩＣタグ等を埋め込み部を、テープのループ面、フック面に対し直角方向に曲げることにより、雑個体からＩＣタグ等が距離を保つ役割がより有効となる。
また、マジックテープは本来の機能から、外す意図を持った時は容易に外すことを可能であり、当該取り付け器具は、取付忘れ、取り外し忘れなどの防止を目的として、ＩＣタグ等の取付が明示的に示す場合は、視認性のよい色と大きさを持った、ＩＣタグ等取り付け器具。
【請求項３】
前記第１、第２の取り付け器具と異なり、電線等の結束に使用するバンドの先端にＩＣタグ等を埋め込み、雑個体（形状や大きさが種々の物体）に対し、容易に取り付けが出来、簡単には外れない、一体化したＩＣタグ等取り付け器具。この結束具は本来の機能から、先端部は結束部と離れる方向を向くため、雑個体からＩＣタグ等が距離を保つ役割を持つ。
この結束具は通常、結束バンドと呼ばれているものであるが、バンド後端部の環に上述の第１の取り付け器具と同様にラッチ機構を持ち、緩むことのない様にしたものであるが、先端部を特定の方向へ引くことにより取り外し可能なタイプと、取付を解除することはできないタイプにあっては、ニッパーなどの手工具で容易に切断でき、外す意図を持った時は容易に外すことを可能であり、当該取り付け器具は、取付忘れ、取り外し忘れなどの防止を目的として、ＩＣタグ等の取付が明示的に示す場合は、視認性のよい色と大きさを持った、ＩＣタグ等取り付け器具。
【請求項４】
前記第１、第２、第３の取り付け器具と異なり、登山の際に使用するカラビナと同一の形状をし、棒状部にＩＣタグ等を埋め込み、雑個体（形状や大きさが種々の物体）に対し、容易に取り付けが出来、簡単には外れず、雑個体からＩＣタグ等が距離を保つ、一体化したＩＣタグ等取り付け器具。
また、カラビナは本来の機能から、外す意図を持った時は容易に外すことを可能であり、当該取り付け器具は、取付忘れ、取り外し忘れなどの防止を目的として、ＩＣタグ等の取付が明示的に示す場合は、視認性のよい色と大きさを持った、ＩＣタグ等取り付け器具。
【請求項５】
以上、ＩＣタグ等取り付け器具の形状などについて４例を挙げているが、次の各器具もＩＣタグ等取り付け器具として使用可能である。
はとめ、知恵の輪、ビニールひも、スポーツ用ブレス、ロックプライヤー、釣り用具サルカンのスナップ、船、工事現場で使うシャックル等。
【請求項６】
上記各取付具にＩＣタグ等を埋め込むにあたり、背面からの反射電波を抑止するため、その背面側をフェライトなどの電波吸収材で覆うこと。
【請求項７】
上記、雑個体（形状や大きさが種々の物体）独特の情報を読み書きする為のＩＣチップ内プログラム、
電波による情報の読み書きをするリーダ・ライターと呼ばれる装置、及びリーダ・ライター内プログラム及びホストコンピュータ内プログラムを含む一連のシステム。
【発明の詳細な説明】
【技術分野】
【０００１】  本発明は、雑個体（形状や大きさが種々の物体）を対象としたＩＣタグ等の技術に関するものである。
【背景技術】
【０００２】  生産・物流などの上流工程でのＩＣタグ利用は進められているが、雑個体（形状や大きさが種々の物体）のような下流工程でのＩＣタグ利用の技術が望まれている。【０００３】  ステンレススクラップのようなニッケル、クロムあるいはモリブデンといった有価な合金元素を含む場合、特にニッケルを含むオーステナイト系ステンレスに、ニッケルを含まないマルテンサイト系ステンレス、フェライト系ステンレスの混入がないことを確認するため、スクラップの発生から製鋼メーカの受入までの流通過程において、数度にわたり全数検査が行われている。ここで、スクラップにＩＣタグ等を利用できれば、スラップ業者の受入時の１回の測定で済むことになる。【０００４】  原子力発電所など放射線線管理区域で発生した中低レベルの放射性雑個体（形状や大きさが種々の物体）は、ドラム缶またはパレットに詰めて、倉庫内に永久保存されているが、ドラム缶またはパレット自体への、また内容物である放射性雑個体そのものへのＩＣタグ等の取り付けは、管理上有用である。【０００５】  かっては、原子力発電所など放射線線管理区域に存在したことがある廃棄物は、すべて低レベル放射性廃棄物として永久保存されていたが、現在は、放射線量レベルがバックグラウンド以下、すなわち放射能を持たない廃棄物は、一般廃棄物として取り扱うことになっている。しかし、いきなりリサイクルで使用するという風潮ではなく、低レベル放射性廃棄物とは分離した形で、長期間管理する必要があり、またこの一般廃棄物扱いとなるものが圧倒的に量が多く、ＩＣタグ等の取り付けは、管理上極めて有用である。【０００６】  前記以外にも、リサイクル法に基づく廃棄物も、雑個体（形状や大きさが種々の物体）であり、下流工程においても、ＩＣタグ等の利用分野は、多数存在する。【０００７】  かかる課題を解決する技術の１つに、雑個体（形状や大きさが種々の物体）を対象としたＩＣタグ等取り付け器具、及び雑個体情報を管理するシステムが存在しなければならない。
【発明の開示】
【発明が解決しようとする課題】
【０００８】  雑個体（形状や大きさが種々の物体）の形状は不定形であり、かかる形状に柔軟に対応して取り付けられるＩＣタグ等の取り付け器具でなければならず、同時に容易に取り付けが出来、簡単には外れないことを満足しなければならない。
また、ＩＣタグ等との情報の読み書きには電波を使用する為、金属、水等の電波を反射する物体から引き離す必要があり、またＩＣタグ等の背面をフェライト等の電波吸収材で覆うとより効果的である。
雑個体を対象としたＩＣタグ等が、上流工程でのＩＣタグ等と大きく異なる点は、取付忘れ、取り外し忘れなどの防止を目的として、ＩＣタグ等の取付が明示的に示す場合は、視認性のよい色と大きさを持つ取付具であり、同時に取り外しを前提とする者である。【０００９】  ＩＣタグ等を利用するのには、情報を読み書きする為のＩＣチップ内プログラム、電波による情報の読み書きをするリーダ・ライターと呼ばれる装置及びリーダ・ライター内プログラムを含む一連のシステムを必要とするが、現在存在するものは、生産・物流などの上流工程を対象としたもので、雑個体（形状や大きさが種々の物体）独特の情報を取り扱うシステムを必要とする。【００１０】  本発明はかかる問題点に鑑みなされたものであり、形状に柔軟に対応した取り付け器具で、容易に取り付けが出来、簡単には外れず、ＩＣタグ等を電波反射物体から距離を保つ機能を有し、ＩＣタグ等の背面をフェライト等の電波吸収材で覆い、取付忘れ、取り外し忘れなどの防止を目的として、ＩＣタグ等の取付が明示的に示す場合は、視認性のよい色と大きさを持つ取付具であり、外す意図を持った時は容易に外すことを満足し、また雑個体（形状や大きさが種々の物体）固有の情報を取り扱うことを可能ならしめる技術を提供しようとするものである。
【課題を解決するための手段】
【００１２】  雑個体（形状や大きさが種々の物体）の形状は不定形であり、同時に容易に取り付けが出来、簡単には外れず、ＩＣタグ等を電波反射物体から距離を保つことができ、取付忘れ、取り外し忘れの防止を目的として、ＩＣタグ等の取付が明示的に示され、視認性のよい色と大きさを持つ取付具であり、また外す意図を持った時は容易に外すことできるＩＣタグ等の取付器具の発明である。
その為に、洗濯ばさみ、マジックテープ、結束バンド、カラビナ等へのＩＣタグ等の埋め込んだ種々の形状による実施形態を示す。
雑個体に固有のデータとなる、蛍光Ｘ線、γ線線量計などのセンサ類とのインターフェースを持ち、必要情報を手入力可能なリーダ・ライタを例示する。
さらに、ホストコンピュータにより、雑個体の有効かつ効率的なデータ管理を行う。
【発明の効果】
【００１３】  本発明によれば、形状が不特定な雑個体（形状や大きさが種々の物体）に対し、容易にＩＣタグの取り付けが可能となる。【００１４】    その結果、コンピュータの使用と併用して、雑個体（形状や大きさが種々の物体）の有効かつ効率的な管理をすることが可能になる。
【発明を実施するための最良の形態】
【００１５】  以下、添付図面に従って本発明にかかる実施形態を詳細に説明する。【００１６】  図１は、実施形態のＩＣタグ等の取り付け器具の説明を示す図である。【００１７】  図１に示す各取り付け器具は、いずれも雑個体（形状や大きさが種々の物体）に対し、容易に取り付けが出来、簡単には外れず、電波反射物体である雑個体からＩＣタグ等が距離を保つことを可能とするものであり、取付忘れ、取り外し忘れなどの防止を目的として、ＩＣタグ等の取付が明示的に示され、また外す意図を持った時は容易に外すことができるＩＣタグ等の取り付け具の例を示すものである。【００１８】  図中、１０は洗濯ばさみの形状を持ち、その咬み合い部にはゴムのような緩衝剤を設けるとともに、後部のハンドル部にラッチ機構を設けることにより、簡単には外れない仕掛けとするとともに、ラッチ機構を押すまたは引くなど簡単な操作でラッチ解除を実行することにより、外す意図を持った時は容易に外すことを可能とした取り付け器具である。【００１９】  その後部のハンドル部にチップ  プラス  アンテナのＩＣタグ等を埋め込んであり、金属等の電波を反射する雑個体（形状や大きさが種々の物体）からＩＣタグ等が距離を保つ役割も兼ねている。【００２０】  図中、２０はマジックテープをベースとしており、対象の雑個体（形状や大きさが種々の物体）に巻き付け、マジックテープ本来の機能により、固着するもであり、容易に取り付けが出来、簡単には外れず、また外す意図を持った時は容易に外すことを可能とした取り付け器具である。【００２１】  マジックテープ先端部にチップ  プラス  アンテナのＩＣタグ等を埋め込んであり、金属等の電波を反射する雑個体（形状や大きさが種々の物体）からＩＣタグ等が距離を保つ役割も兼ねている。
マジックテープは、小さなループがびっしり並んだループ面と細かいカギ状になっているフック面で成り立ち、先端部をフック面とした製品が多いが、このフック面をテープの先端より後方に下げ、またフック面の先端部でテープに対し、直角方向にテープを曲げるようにすると、より効果的である。【００２２】  通常、マジックテープは、環（バックル）にテープの一端を巻き付けて縫いつけることにより固定し、他端を対象物に巻き付けた上で、上述の環の中を通し締め付け、上述のマジックテープの機能により固着する。【００２３】  図中、３０は結束バンドをベースとしており、対象の雑個体（形状や大きさが種々の物体）に巻き付け、結束バンドのラッチ機能により、固着するもであり、容易に取り付けが出来、簡単には外れず、また外す意図を持った時は容易に外すことを可能とした取り付け器具である。【００２４】  結束バンド先端部にチップ  プラス  アンテナのＩＣタグ等を埋め込んであり、金属等の電波を反射する雑個体（形状や大きさが種々の物体）からＩＣタグ等が距離を保つ役割も兼ねている。【００２５】  この結束バンドには、取り外し可能タイプと取り外し不能タイプの２種類が存在し、前者にあっては外れることのリスクがわずかに存在するが、ＩＣタグ等の再利用が可能であり、後者にあっては外れることはまず無いが、ニッパーなどの手工具で容易に切断可能であり、外す意図を持った時は容易に外すことが可能であることは満たすが、ＩＣタグ等は使い捨てになる。【００２６】  図中、４０はカラビナの形状を持ち、対象の雑個体（形状や大きさが種々の物体）に取り付け、クリップの開閉により、外れないようにするもであり、容易に取り付けが出来、簡単には外れず、また外す意図を持った時は容易に外すことを可能とした取り付け器具である。【００２７】  カラビナ後部直線部にチップ  プラス  アンテナのＩＣタグ等を埋め込んであり、金属等の電波を反射する雑個体（形状や大きさが種々の物体）からＩＣタグ等が距離を保つ役割も兼ねている。【００２８】  カラビナの形状は細かくは各種あるが、大きくは安全環付きと安全環無しの２種類である。カラビナはＤ型をした形状が多く、クリップという可動部を持ち、その開口部にザイル等を通すが、クリップを閉じた時、クリップにねじ止めするような方法でクリップが開かないようにしたものを、安全環付きカラビナといい、簡単には外れ無いものである。【００２９】  図中、５０はＩＣタグ等の背面をフェライト等の電波吸収材で覆う一例を示す。【００３０】一例
図中、１００は埋め込み対象の基材であり、１０１はＩＣチップであり、１０２はアンテナであり、１０３は電波吸収材であり、１０４は電波を通す材料でできた表面カバーである。【００３１】  図は、個体でできた基材を表すが、マジックテープや結束バンドのような柔軟物の倍でも、背面に電波吸収材を付けた状態で埋め込むものとする。【００３２】  次に、実施形態のシステム全体を図２のブロック構成図に従って説明する。【００３３】  図中、１００、１０１はリーダ・ライタであり、２００、２０１，２０２は各種センサであり、３００、３０１はデータを管理するホストコンピュータであり、４００はＩＣタグ等そのものである。【００３４】  リーダ・ライタ１００は、計測器やセンサ類へのインターフェースを持ち、ＲＳ−２３２Ｃ、ＧＰＩＢ、ＬＡＮや近年ではＵＳＢ、ＩＥＥＥ１３９４がよく用いられるが、データの取り込みを可能にしたものである。【００３５】  また、リーダ・ライタ１００、１０１は、センサ類の計測データだけでなく、必要情報をペン入力、キーボードなどによる手入力やホストコンピュータ３００、３０１からのデータなどにより付加することが可能になっている。【００３６】  また、データを管理するホストコンピュータ３００、３０１へのインターフェースも持ち、ＬＡＮがよく用いられるが、ホストコンピュータ３００、３０１に対しＩＣタグ等４００に対し書き込んだり、読み込んだりしたデータを送信したり、リーダ・ライタへの指示を受信したりする。【００３７】  リーダ・ライタは制御を司るＣＰＵを持ち、パソコンに後述の送受信部を接続しても可能であるが、可搬性から通常は送受信部と一体化された組込マイコンの形で使われることが多い。【００３８】  リーダ・ライタにはデータを伝送する電波を送受信する送受信部持ち、内部は送受信機である。また、ＩＣタグ等側のアンテナに対応する形の、アンテナが接続され、これにより電波の送受信を行う。【００３９】  蛍光Ｘ線２０１は、測定物体に弱いＸ線をあて、それにより発生する蛍光のスペクトルにより、含まれる元素の含有量が分かるものであり、窒素より原子番号の大きな元素のほとんどが分かる。それ故、炭素は測定限界外であり、低炭素ステンレスの判別には他の方法が必要となるが、原料としての意味はほとんど持たないので、ステンレススクラップの場合は、蛍光Ｘ線で十分である。【００４０】  γ線線量計２０１は、γ線の線量を計測するものである。特に、線量の変化は経年的に捉えねばならず、ＩＣタグ等の利用は有効である。【００４１】  その他センサ２０２は、前記以外のセンサであり、雑個体（形状や大きさが種々の物体）一般と捉えた時、透磁率計など多くのセンサが考えられる。【００４２】  ホストコンピュータ３００、３０１は、データをデータベースなどにより管理したり、リーダ・ライタへの指示を出したりする。【００４３】  ＩＣタグ等４００は、電波の届くエリア内に複数数存在する。【００４４】  通常、ＩＣタグ等は電池などの電源を持たず、受信電波のエネルギをコンデンサなどに蓄え、これを電源としてごく短時間機能する。【００４５】    電波を送受信するために、アンテナが必要である。図においては、１／２波長ダイポールアンテナを想定しているが、アンテナには、ループ型、ホイップ型等各種のアンテナが存在し、必要に応じ他の形のアンテナも許容するものである。【００４６】  リーダ・ライタ１００、１０１同様、データを伝送する電波を送受信する送受信部持つ。【００４７】  やはりリーダ・ライタ１００、１０１同様、装置全体の制御を司るＣＰＵを持ち、ワークエリアとして使用されるＲＡＭを持つ。【００４８】  ＩＣタグ等にあっては、電源は一時的にしか存在せず、かつデータの書込を必須とすることから、データの書き換えが可能であり、電源が無くなってもデータが消失しない、フラッシュメモリのような不揮発性メモリを必要とする。【００４９】  組込マイコンなどでは、処理手順（プログラム）を記憶しているのはＲＯＭであるが、ＩＣタグ等にあっては、前述の不揮発性メモリで代替することも可能である。【００５０】  １００，２００は書込部、１０１，２０１は読込部をイメージし、全く異なる場所、異なる組織での使用を前提としているが、後者を同じ場所の同じ装置で、繰り返し読み書きすることも想定される。【００５１】  次に、実施形態のシステム全体の処理手順を、図３のフローチャートに従って説明する。【００５１】  先ず、ステップＳ１１では、図１に例示する種々の形状をもつ一体化したＩＣタグ等取り付け器具の中で最適なものを、個々の雑個体（形状や大きさが種々の物体）に取り付ける。【００５２】  次に、ステップＳ１２では、リーダ・ライタ１０１が、各種センサ２００、２０１，２０２のうち必要とするものから、データを読込む。【００５３】  ステップＳ１３では、リーダ・ライタ１０１は、読み込んだデータを基に電文を作成し、ＩＣタグ等４００に書込みを行う。
リーダ・ライタ１０１は、ＩＣタグ等４００から書込完了の電文を受け取ると、ホストコンピュータ３００に必要情報を送信し、ホストコンピュータ３００は、データベースへの登録などを行う。【００５４】  この後、ＩＣタグ等４００を取り付けた雑個体（形状や大きさが種々の物体）は、他の場所や他の機関へ輸送ステップＳ１４される場合や、その場に保管ステップＳ１５される場合が考えられる。【００５５】  また、ＩＣタグ等４００を取り付けた雑個体（形状や大きさが種々の物体）は、他の場所や他の機関へ輸送ステップＳ１４後、輸送された場所での保管ステップＳ１５も考えられる。【００５６】  ステップＳ１６では、輸送ステップＳ１４が完了する到着時点や、保管ステップＳ１５後、一定時間が経過した時点において、リーダ・ライタ１０１、１０１は、ＩＣタグ等４００が持つ情報を読出したり、その時点での各種センサ２００、２０１，２０２からの情報をＩＣタグ等４００に書込んだりする。
その結果を、ホストコンピュータ３００、３０１に送信し、ホストコンピュータ３００は、データベースへの登録などを行う。【００５７】  ステップＳ１７では、保管ステップＳ１５をするか、最終処分ステップＳ１８へ進むか、判断する。【００５８】  最終処分ステップＳ１８へ進む場合、原則として、一体化したＩＣタグ等取り付け器具は、ステップＳ１８において取外すものとし、一体化したＩＣタグ等取り付け器具は再利用する。
そのために、図１に例示する種々の形状をもつ一体化したＩＣタグ等取り付け器具は、取外しが可能となっている。
取外しの目的は、最終処分ステップＳ１８へ不純物の持ち込みを回避することと、再利用である。
取り付け器具を取り外さずに、最終処分ステップＳ１８へ進むことも可能である。【００５９】  ステップＳ１９では、雑個体（形状や大きさが種々の物体）は、溶融などにより、最終処分される。
【図面の簡単な説明】
【００６０】
【図１】  実施形態における取り付け器具の説明を示す図である。
【図２】  実施形態におけるシステムのブロック構成図である。
【図３】  実施形態における処理手順を示すフローチャートである。
【図１】
2007310849.tif 000003
【図２】
2007310849.tif 000004
【図３】
2007310849.tif 000005